(57)【要約】【課題】分離したい細胞に脂肪分を付着させることなく、分離したい細胞群をより確実に分離する。【解決手段】細胞懸濁液を収容し、底部２ｂを半径方向外方に向けて回転させられる筒状の容器本体２と、該容器本体２内に対して液体Ｃ，Ｅを給廃液する液体管路６と、容器本体２の底部２ｂとは反対側の端部２ａ近傍において、該容器本体２内の空間に連通し、該容器本体２内から溢れた流体Ｆを収容する収容部３とを備える遠心分離容器１を提供する。【選択図】図５
2010127708.tif 000002
【特許請求の範囲】
【請求項１】
細胞懸濁液を収容し、底部を半径方向外方に向けて回転させられる筒状の容器本体と、
該容器本体内に対して液体を給廃液する液体管路と、
前記容器本体の前記底部とは反対側の端部近傍において、該容器本体内の空間に連通し、該容器本体内から溢れた流体を収容する収容部とを備える遠心分離容器。
【請求項２】
前記容器本体の半径方向外方に前記収容部が配置され、二重管状に形成されている請求項１に記載の遠心分離容器。
【請求項３】
前記収容部が、容器本体を上下方向に区画するように配置され、多数の透孔を有するフィルタ部材により容器本体の上部に形成されている請求項１に記載の遠心分離容器。
【請求項４】
細胞懸濁液を収容した筒状の容器を、該容器の底部を半径方向外方に向けて回転させる第１の遠心分離工程と、
該遠心分離工程において遠心分離された細胞懸濁液を収容した容器を、該容器の底部を下方に向けて配置し、内部に液体を供給して、容器内に分離した細胞懸濁液の上層部分を容器から溢れさせる液体供給工程と、
該液体供給工程において上層部分を溢れさせた細胞懸濁液を収容した容器を、再度、該容器の底部を半径方向外方に向けて回転させる第２の遠心分離工程とを含む遠心分離方法。
【発明の詳細な説明】
【技術分野】
【０００１】
本発明は、遠心分離容器および遠心分離方法に関するものである。
【背景技術】
【０００２】
従来、脂肪組織を分解して脂肪由来細胞を単離させた細胞懸濁液を収容した遠心分離容器を、該遠心分離容器から離れた軸線回りに回転させることにより、細胞懸濁液内に含有されている成分を比重により分離する遠心分離装置が知られている（特許文献１参照。）。
遠心分離容器は、一端を閉塞された略円筒状に形成され、その閉塞端を半径方向外方に向けるように回転させられることにより、閉塞端に向けて比重の大きい成分が移動し、閉塞端側から比重の大きい順に並んで分離されるようになっている。
【０００３】
【特許文献１】国際公開第２００５／０１２４８０号パンフレット
【発明の開示】
【発明が解決しようとする課題】
【０００４】
しかしながら、特に脂肪組織のような生体組織を分解して得られた細胞懸濁液には比重の軽い脂肪分が多く含まれるため、遠心分離後の細胞懸濁液の最上層に脂肪分が浮遊して分離したい脂肪由来細胞に付着してしまう不都合がある。すなわち、遠心分離容器内の最下層には脂肪由来細胞を含む細胞群が分離され、それ以外の上清が中間層に分離され、脂肪分が最上層に分離されるので、遠心分離容器内の細胞と上清との境界近傍に配置した配管によって上清および脂肪群を除去しようとしても、脂肪群が排出されずに残り、細胞に付着してしまう不都合がある。
【０００５】
本発明は上述した事情に鑑みてなされたものであって、分離したい細胞に脂肪分を付着させることなく、分離したい細胞群をより確実に分離することができる遠心分離容器および遠心分離方法を提供することを目的とする。
【課題を解決するための手段】
【０００６】
上記目的を達成するために、本発明は以下の手段を提供する。
本発明は、細胞懸濁液を収容し、底部を半径方向外方に向けて回転させられる筒状の容器本体と、該容器本体内に対して液体を給廃液する液体管路と、前記容器本体の前記底部とは反対側の端部近傍において、該容器本体内の空間に連通し、該容器本体内から溢れた流体を収容する収容部とを備える遠心分離容器を提供する。
【０００７】
本発明によれば、容器本体内に細胞懸濁液を収容し、底部を半径方向外方に向けて回転させると、細胞懸濁液内に含有されている成分が比重により分離される。この場合に、容器本体の底部最下層には、比重の大きな細胞群が集められ、中層には血漿等の上清が集められ、最上層には比重の小さな脂肪分（流体）が集められる。
【０００８】
この状態で、容器本体を、底部が下側となるように鉛直方向に沿って配置し、液体管路を通して液体、例えば、生理食塩水等の洗浄液を容器本体内に静かに供給する。これにより、容器本体内に収容されている液体の量が増加して、容器本体の底部とは反対側の端部近傍において容器本体内の空間に連通している収容部に溢れる。
【０００９】
容器本体内の最上層には脂肪分が集められていたので、収容部には、脂肪分から優先的に溢れることになり、容器本体内の細胞懸濁液から脂肪分が効率的に除去される。したがって、この後に再度遠心分離動作を行うことにより、脂肪分が除去された細胞懸濁液を遠心分離することができ、所望の細胞群に脂肪分が付着した状態で採取されないようにすることができる。
【００１０】
上記発明においては、前記容器本体の半径方向外方に前記収容部が配置され、二重管状に形成されていてもよい。
このようにすることで、内側の容器本体内から溢れた脂肪分が外側の収容部に収容され、その後の再度の遠心分離により、脂肪分を含まない細胞懸濁液を遠心分離して所望の細胞群を得ることができる。
【００１１】
また、上記発明においては、前記収容部が、容器本体を上下方向に区画するように配置され、多数の透孔を有するフィルタ部材により容器本体の上部に形成されていてもよい。
このようにすることで、液体管路を通して液体、例えば、生理食塩水等の洗浄液を容器本体内に静かに供給すると、容器本体内に収容されている液体の量が増加して、フィルタ部材の透孔を介してフィルタ部材の上方に形成されている収容部に溢れる。
【００１２】
このとき、最上層に集められていた脂肪分から優先的に収容部へ溢れる。そして、フィルタ部材の下方の液体を排出すると、脂肪分はフィルタ部材によってトラップされるので、容器本体の底部の方向に戻ることがなく、脂肪分が除去された細胞懸濁液を遠心分離することができ、所望の細胞群に脂肪分が付着した状態で採取されないようにすることができる。
【００１３】
また、本発明は、細胞懸濁液を収容した筒状の容器を、該容器の底部を半径方向外方に向けて回転させる第１の遠心分離工程と、該遠心分離工程において遠心分離された細胞懸濁液を収容した容器を、該容器の底部を下方に向けて配置し、内部に液体を供給して、容器内に分離した細胞懸濁液の上層部分を容器から溢れさせる液体供給工程と、該液体供給工程において上層部分を溢れさせた細胞懸濁液を収容した容器を、再度、該容器の底部を半径方向外方に向けて回転させる第２の遠心分離工程とを含む遠心分離方法を提供する。
【００１４】
本発明によれば、第１の遠心分離工程において、細胞懸濁液が、容器の底部側から順に細胞群、上清および脂肪分に遠心分離される。この状態で液体供給工程により容器内に液体を供給することで、上層部分を容器から溢れさせる。上層部分には脂肪分が配置されているので、液体供給工程により細胞懸濁液内の脂肪分を他の成分から分離して除去することができる。その後、第２の遠心分離工程において、脂肪分を含まない細胞懸濁液を、容器の底部側から順に、細胞群および上清に分離することができ、上清の除去により、脂肪分が付着していない細胞群を分離採取することができる。
【発明の効果】
【００１５】
本発明によれば、分離したい細胞に脂肪分を付着させることなく、分離したい細胞群をより確実に分離することができるという効果を奏する。
【発明を実施するための最良の形態】
【００１６】
本発明の一実施形態に係る遠心分離容器１および遠心分離方法について、図１〜図７を参照して以下に説明する。
本実施形態に係る遠心分離容器１は、図１に示されるように、二重円筒状に形成され、内側の容器本体２と、外側の収容部３とを備えている。
【００１７】
容器本体２は、略円筒状に形成され、一端に開口２ａを有し、他端が閉塞されている。閉塞端（底部）２ｂは、先端に向かって次第に先細になるテーパ内面状に形成されている。
収容部３も容器本体２の閉塞端２ｂ側において閉塞し、他端には、蓋部材４によって閉塞される開口部３ａを有している。蓋部材４によって開口部３ａが閉塞された状態で、収容部３内は密閉されるが、収容部３内の空間と容器本体２内の空間とは開口２ａ側において相互に連絡している。
【００１８】
容器本体２と収容部３とは、接続部材５によって相互に固定されている。接続部材５は、図１に示す例では、例えば、周方向に間隔をあけて複数設けられ、容器本体２と収容部３とを半径方向に連結する梁状の部材である。
【００１９】
蓋部材４には、その中央を貫通して容器本体２内に先端６ａが配置されるチューブ６が固定されている。チューブ６の先端６ａは、容器本体２の所定の深さ位置に配置されている。この深さ位置は、図３に示されるように、後述する細胞懸濁液Ａを遠心分離したときに、分離回収すべき最下層の細胞群Ｂと上清Ｃとの境界Ｄよりも上清Ｃ側に配されることとなる位置に設定されている。
【００２０】
チューブ６は、外部から送られてくる細胞懸濁液Ａや洗浄液Ｅを容器本体２内に供給する一方、容器本体２内から上清Ｃを除去するために、容器本体２内との間の液体Ａ，Ｃ，Ｅの供給および排出を行うようになっている。
細胞懸濁液Ａとしては、例えば、脂肪組織のような生体組織をタンパク質分解酵素により分解することで単離された脂肪由来細胞を浮遊させた状態に含むものが挙げられる。細胞懸濁液Ａ内にはタンパク質分解酵素が含有されているので、その濃度を低減して脂肪由来細胞へのダメージを低減するために、洗浄液Ｅにより洗浄する必要がある。
【００２１】
このように構成された本実施形態に係る遠心分離容器１を用いた遠心分離方法について以下に説明する。
本実施形態に係る遠心分離容器１を用いて細胞懸濁液Ａを遠心分離するには、遠心分離容器１を図示しない遠心分離機にセットして、図２に示されるように、チューブ６を介して外部から細胞懸濁液Ａを容器本体２内に供給する。この状態で、遠心分離機を作動させて、遠心分離容器１を回転させる。
【００２２】
遠心分離容器１が、その底部１ａを半径方向外方に向けて回転させられることにより、容器本体２内に収容されている細胞懸濁液Ａには遠心力が作用する。これにより、細胞懸濁液Ａ内に含まれる各種成分がその比重の相違によって、図３に示されるように遠心分離される。
【００２３】
すなわち、容器本体２の閉塞端２ｂはテーパ内面状に形成されているので、細胞懸濁液Ａ内に含まれている比重の大きな細胞群Ｂがテーパ内面に沿って底部３ｂの先端部に集められる。これにより、細胞群Ｂが容器本体２の底部２ｂの先端部に沈み、残りの上清Ｃから分離される。
また、細胞懸濁液Ａ内に含まれている比重の小さい脂肪分Ｆは、上清Ｃよりもさらに開口２ａ側に分離される。
【００２４】
この状態で、遠心分離機を停止し、遠心分離容器１を底部１ｂが鉛直下方に向かうように配置し、図４に示されるように、チューブ６を介して外部から洗浄液Ｅ、例えば、生理食塩水を容器本体２内に供給する。チューブ６の先端６ａは、容器本体２内に分離された細胞群Ｂと上清Ｃとの境界面Ｄ近傍に配置されているので、洗浄液Ｅを静かに供給することにより、上清Ｃと脂肪分Ｆとの境界面Ｇを乱さないように容器本体２内に洗浄液Ｅを供給していくことができる。
【００２５】
そして、所定量の洗浄液Ｅを供給すると、図５に示されるように、容器本体２の開口２ａから脂肪分Ｆがオーバーフローしてその外側に配置されている収容部３内へと流れ込む。これにより、細胞懸濁液Ａ内の脂肪分Ｆを優先的に容器本体２内から排出することができる。ほぼ全ての脂肪分Ｆがオーバーフローするまで洗浄液Ｅを供給した後に、洗浄液Ｅの供給を停止し、再度遠心分離機を作動させて遠心分離を行う。これにより、容器本体２内の細胞懸濁液Ａは、図６に示されるように、細胞群Ｂと上清Ｃ′とに分離される。
【００２６】
この状態で、図７に示されるように、チューブ６を介して容器本体２内の上清Ｃ′を吸引して外部に排出する。これにより、容器本体２内には遠心分離された細胞群Ｂと少量の上清Ｃ′のみが残る。洗浄液Ｅを加えることで、細胞懸濁液Ａ内のタンパク質分解酵素の濃度が低減される。必要に応じて、洗浄液Ｅの供給、遠心分離、オーバーフロー、遠心分離および上清Ｃ′の排出動作を繰り返すことにより、より確実に細胞懸濁液Ａ内の脂肪分Ｆを除去しつつ、細胞群Ｂを洗浄し、細胞群Ｂに付着するタンパク質分解酵素の濃度を一層低減することができる。
【００２７】
このように、本実施形態に係る遠心分離容器１および遠心分離方法によれば、細胞懸濁液Ａ内に含まれる脂肪分Ｆを除去して上清Ｃ′と細胞群Ｂとに分離することができる。その結果、容器本体２内から上清Ｃ′を吸引排出しても、脂肪分Ｆが細胞群Ｂに付着する不都合がなく、脂肪分Ｆを含まない細胞群Ｂを分離回収することができるという利点がある。
【００２８】
なお、本実施形態に係る遠心分離容器１においては、容器本体２の外部に収容部３を有する２重円筒状に形成したが、これに代えて、図８に示されるように、容器本体２の外部にリング状に収容部３′を設けてもよいし、図９に示されるように、容器本体２から溢れた脂肪分Ｆを管路７によって収容部３′に導くことにしてもよい。
【００２９】
また、容器本体２の半径方向外方に収容部３を設けることとしたが、これに代えて、図１０（ａ）に示されるように、容器本体２の半径方向内方に収容部３を設けることにしてもよい。図１０に示す例では、容器本体２の上部に中板部材１０を配置し、該中板部材１０に厚さ方向に貫通する貫通穴１１を設けるとともに、その半径方向の途中位置に環状に窪む収容部３を設けることにすればよい。
【００３０】
図１０（ｂ）に示されるようにチューブ６の先端６ａから洗浄液Ｅを供給すると、上層の脂肪分Ｆが中板部材１０の貫通穴１１を通過して中板部材１０の上方に溢れ、収容部３にトラップされる。
【００３１】
また、収容部３としては、上述したような容器状に形成されるものの他、図１１（ａ）〜（ｃ）に示されるように、容器本体２内部をフィルタ部材１２によって上下方向に区画することで、容器本体２の上方に構成してもよい。フィルタ部材１２としては、例えば、ポリエチレンテレフタレート製のメッシュシート（ＳＥＦＡＲ社製）を採用することができる。このメッシュシートには、上下方向に貫通する５１〜１８０μｍの多数の透孔（図示略）と、中央部にチューブ６を通過させる貫通穴１２ａとが設けられている。
【００３２】
このようにすることで、遠心分離された状態で、チューブ６を介して外部から洗浄液Ｅを容器本体２の下部に静かに供給すると、上清Ｃと脂肪分Ｆとの境界面Ｇを乱さないように容器本体２内に洗浄液Ｅを供給していくことができ、図１１（ｂ）に示されるように、フィルタ部材１２の透孔を介して上層の脂肪分Ｆがオーバーフローし、フィルタ部材１２上方の収容部３内へと流れ込む。これにより、細胞懸濁液Ａ内の脂肪分Ｆを優先的に容器本体２の下部の空間から排出することができる。
【００３３】
ほぼ全ての脂肪分Ｆがフィルタ部材１２上方の収容部３へオーバーフローするまで洗浄液Ｅを供給した後に、洗浄液Ｅの供給を停止し、再度遠心分離機を作動させて遠心分離を行う。その後、上清Ｃ′を排出すると、図１１（ｃ）に示されるように、収容部３へ移動した脂肪分Ｆはフィルタ部材１２によってトラップされるので、脂肪分Ｆが容器本体２の下部の空間に戻ることがなく、容器本体２のフィルタ部材１２下方の細胞懸濁液Ａを、脂肪分Ｆを含まない細胞群Ｂと上清Ｃ′とに分離することができる。フィルタ部材１２は、該フィルタ部材１２の上方にオーバーフローした脂肪分Ｆのみならず、フィルタ部材１２に下側から接触した脂肪分Ｆについても接着させてトラップすることができる。
【図面の簡単な説明】
【００３４】
【図１】本発明の一実施形態に係る遠心分離容器を示す縦断面図である。
【図２】図１の遠心分離容器に細胞懸濁液を収容した状態を示す縦断面図である。
【図３】図１の遠心分離容器内に収容された細胞懸濁液を遠心分離した状態を示す縦断面図である。
【図４】図３により遠心分離された細胞懸濁液に洗浄液を供給する工程を説明する縦断面図である。
【図５】図４の状態からさらに洗浄液を供給し、容器本体から脂肪分をオーバーフローさせる工程を示す縦断面図である。
【図６】図５の状態から、脂肪分を除去された細胞懸濁液を再度遠心分離した状態を示す縦断面図である。
【図７】図６の状態から上清を除去した状態を示す縦断面図である。
【図８】図１の遠心分離容器の第１の変形例を示す縦断面図である。
【図９】図１の遠心分離容器の第２の変形例を示す縦断面図である。
【図１０】図１の遠心分離容器の第３の変形例を示す縦断面図である。
【図１１】図１の遠心分離容器の第４の変形例を示す縦断面図である。
【符号の説明】
【００３５】
Ａ  細胞懸濁液
Ｃ，Ｃ′  上清（液体）
Ｅ  洗浄液（液体）
Ｆ  脂肪分（流体）
１  遠心分離容器
２  容器本体
２ａ  開口（端部）
２ｂ  閉塞端（底部）
３，３′  収容部
６  チューブ（液体管路）
１２  フィルタ部材
【図１】
2010127708.tif 000003
【図２】
2010127708.tif 000004
【図３】
2010127708.tif 000005
【図４】
2010127708.tif 000006
【図５】
2010127708.tif 000007
【図６】
2010127708.tif 000008
【図７】
2010127708.tif 000009
【図８】
2010127708.tif 000010
【図９】
2010127708.tif 000011
【図１０】
2010127708.tif 000012
【図１１】
2010127708.tif 000013